(57)【要約】【課題】電池モジュールの誤組付けを防止すると共に、小型化を図ることができる組電池を提供する。【解決手段】  組電池１は、正極側出力端子１３１と負極側出力端子１３２をそれぞれ有し、互いに隣接する電池モジュール２Ｂ、２Ｃを含み、電池モジュール２Ｂ、２Ｃは、電池モジュール２Ｂの端子１３１と電池モジュール２Ｃの端子１３２を通過する第１の仮想直線ＶＬ１を中心として一方及び他方の側にそれぞれ設けられた突起２１、２２と、電池モジュール２Ｂの端子１３２と電池モジュール２Ｃ端子１３１を通過する第２の仮想直線ＶＬ２を中心として一方及び他方の側にそれぞれ設けられた突起２２、２１と、を有し、組電池１は、電池モジュール２Ｂの端子１３１と電池モジュール２Ｃの端子１３２を接続する接続部材３０Ｂをさらに備え、接続部材３０Ｂは、電池モジュール２Ｂの突起２１、２２をそれぞれ受け入れる切欠き部３１、３２を有している。【選択図】  図１
2014060111.tif 000002
【特許請求の範囲】
【請求項１】
同一側面から導出する正極端子及び負極端子をそれぞれ有する複数の電池モジュールを備え、隣接する前記電池モジュールの異極端子同士が対向するように複数の前記電池モジュールを交互に向きを反転させて積み重ねることにより構成される組電池であって、
複数の前記電池モジュールは、
第１の正極端子と第１の負極端子を有する第１の電池モジュールと、
第２の正極端子と第２の負極端子を有し、前記第1の電池モジュールに隣接する第２の電池モジュールと、を含み、
前記第１の電池モジュールは、
前記第１の正極端子と前記第２の負極端子を通過する第１の仮想直線を中心として一方の側に設けられ、前記第１の正極端子と同方向に突出する第１の正極側突起と、
前記第１の負極端子と前記第２の正極端子を通過する第２の仮想直線を中心として一方の側に設けられ、前記第１の負極端子と同方向に突出する第１の負極側突起と、を有しており、
前記第２の電池モジュールは、
前記第２の仮想直線を中心として他方の側に設けられ、前記第２の正極端子と同方向に突出する第２の正極側突起と、
前記第１の仮想直線を中心として他方の側に設けられ、前記第２の負極端子と同方向に突出する第２の負極側突起と、を有しており、
前記組電池は、前記第１の正極端子と前記第２の負極端子を接続する接続部材をさらに備え、
前記接続部材は、
前記第１の正極側突起を受け入れる第１の受容部と、
前記第２の負極側突起を受け入れる第２の受容部と、を有することを特徴とする組電池。
【請求項２】
請求項１に記載の組電池であって、
前記第１の正極側突起及び前記第１の負極側突起は、前記第１の正極端子と前記第１の負極端子を通過する第３の仮想直線上に設けられており、
前記第２の正極側突起及び前記第２の負極側突起は、前記第２の正極端子と前記第２の負極端子を通過する第４の仮想直線上に設けられていることを特徴とする組電池。
【請求項３】
請求項１又は２に記載の組電池であって、
前記第１の受容部は、前記第１の正極側突起が入り込むことが可能な貫通孔又は切欠きであり、
前記第２の受容部は、前記第２の負極側突起が入り込むことが可能な貫通孔又は切欠きであることを特徴とする組電池。
【請求項４】
請求項３に記載の組電池であって、
前記第１の受容部の形状は、前記第１の正極側突起が前記第１の受容部に入り込む部分の断面形状と相似形状であり、
前記第２の受容部の形状は、前記第２の負極側突起が前記第２の受容部に入り込む部分の断面形状と相似形状であることを特徴とする組電池。
【請求項５】
請求項１〜４の何れかに記載の組電池であって、
前記第１の電池モジュールは、前記接続部材と前記第１の正極端子を固定する第１のボルトをさらに有し、
前記第２の電池モジュールは、前記接続部材と前記第２の負極端子を固定する第２のボルトをさらに有し、
下記（１）式又は下記（２）式の少なくとも一方を満たすことを特徴とする組電池。
Ｈ１＞Ｌ１・・・（１）
Ｈ２＞Ｌ２・・・（２）
ただし、上記の（１）式及び（２）式において、Ｈ１は前記第１の正極側突起の高さであり、Ｈ２は前記第２の負極側突起の高さであり、Ｌ１は前記第１のボルトの高さであり、Ｌ２は前記第２のボルトの高さである。
【請求項６】
同一側面から導出する正極端子及び負極端子をそれぞれ有する複数の電池モジュールを備え、隣接する前記電池モジュールの異極端子同士が対向するように複数の前記電池モジュールを交互に向きを反転させて積み重ねることにより構成される組電池であって、
複数の前記電池モジュールは、
第１の正極端子と第１の負極端子を有する第１の電池モジュールと、
第２の正極端子と第２の負極端子を有し、前記第1の電池モジュールに隣接する第２の電池モジュールと、を含み、
前記第１の電池モジュールは、
前記第１の正極端子と前記第２の負極端子を通過する第１の仮想直線を中心として一方の側に設けられた第１の正極側受容部と
前記第１の負極端子と前記第２の正極端子を通過する第２の仮想直線を中心として一方の側に設けられた第１の負極側受容部と、を有しており、
前記第２の電池モジュールは、
前記第２の仮想直線を中心として他方の側に設けられた第２の正極側受容部と、
前記第１の仮想直線を中心として他方の側に設けられた第２の負極側受容部と、を有しており、
前記組電池は、前記第１の正極端子と前記第２の負極端子を接続する接続部材をさらに備え、
前記接続部材は、
前記第１の正極端子と対向する方向に突出し、前記第１の正極側受容部に入り込む第１の突起部と、
前記第１の正極端子と同方向に突出し、前記第１の突起部と対応する位置に設けられた第２の突起部と、
前記第２の負極端子と対向する方向に突出し、前記第２の負極側受容部に入り込む第３の突起部と、
前記第２の負極端子と同方向に突出し、前記第３の突起部と対応する位置に設けられた第４の突起部と、を有することを特徴とする組電池。
【請求項７】
請求項６に記載の組電池であって、
前記第１の正極側受容部及び前記第１の負極側受容部は、前記第１の正極端子と前記第１の負極端子を通過する第３の仮想直線上に設けられており、
前記第２の正極側受容部及び前記第２の負極側受容部は、前記第２の正極端子と前記第２の負極端子を通過する第４の仮想直線上に設けられていることを特徴とする組電池。
【請求項８】
請求項６又は７に記載の組電池であって、
前記第１の正極側受容部は、前記第１の突起部及び前記第４の突起部が入り込むことが可能な凹部又は切欠きであり、
前記第２の負極側受容部は、前記第２の突起部及び前記第３の突起部が入り込むことが可能な凹部又は切欠きであることを特徴とする組電池。
【請求項９】
請求項８に記載の組電池であって、
前記第１の正極側受容部の形状は、前記第１の突起部及び前記第４の突起部が前記第１の正極側受容部に入り込む部分の断面形状と相似形状であり、
前記第２の負極側受容部の形状は、前記第２の突起部及び前記第３の突起部が前記第２の負極側受容部に入り込む部分の断面形状と相似形状であることを特徴とする組電池。
【請求項１０】
請求項６〜９の何れかに記載の組電池であって、
前記第１の電池モジュールは、前記接続部材と前記第１の正極端子を固定する第１のボルトをさらに有し、
前記第２の電池モジュールは、前記接続部材と前記第２の負極端子を固定する第２のボルトをさらに有し、
下記（１）式又は下記（２）式の少なくとも一方を満たすことを特徴とする組電池。
Ｈ１＞Ｌ１・・・（１）
Ｈ２＞Ｌ２・・・（２）
ただし、上記の（１）式及び（２）式において、Ｈ１は前記第１の突起部及び前記第４の突起部の高さであり、Ｈ２は前記第２の突起部及び前記第３の突起部の高さであり、Ｌ１は前記第１のボルトの高さであり、Ｌ２は前記第２のボルトの高さである。
【発明の詳細な説明】
【技術分野】
【０００１】
本発明は、複数の電池モジュールを有する組電池に関するものである。
【背景技術】
【０００２】
極性を間違えることなく電池を簡単に連結するために、互いに相補補間形状の連接部を有する正極用連結部及び負極用連結部を備えた二次電池を複数有する組電池が知られている（例えば特許文献１参照）。
【先行技術文献】
【特許文献】
【０００３】
【特許文献１】特開２０１０−８０３５５号公報
【発明の概要】
【発明が解決しようとする課題】
【０００４】
上記の組電池では、二次電池に新たに追加された絶縁部材の連接部が、当該二次電池の積層方向に沿って突出しているため、組電池が大型化するという問題があった。
【０００５】
本発明が解決しようとする課題は、電池モジュールの誤組付けを防止すると共に、小型化を図ることができる組電池を提供することである。
【課題を解決するための手段】
【０００６】
本発明は、第１の電池モジュールの正極端子と第１の電池モジュールに隣接する第２の電池モジュールの負極端子を結ぶ第１の仮想直線を中心として一方の側に設けられ、正極端子と同方向に突出する正極側突起と、第１の電池モジュールの負極端子と第２の電池モジュールの正極端子を結ぶ第２の仮想直線を中心として一方の側に設けられ、負極端子と同方向に突出する負極側突起と、をそれぞれ電池モジュールに設け、当該電池モジュールを交互に向きを反転させて複数積み重ね、正極側突起を受け入れる第１の受容部と、負極側突起を受け入れる第２の受容部と、を有する接続部材で電池モジュール同士を接続することによって上記課題を解決する。
【発明の効果】
【０００７】
本発明によれば、第１及び第２の電池モジュールを交互に向きを反転させて積み重ねる際に、第１の電池モジュールの第１の正極側突起を接続部材の第１の受容部が受け入れると共に、第２の電池モジュールの第２の負極側突起を当該接続部材の第２の受容部が受け入れなければ、第１及び第２の電池モジュール同士を電気的に接続できないので、電池モジュールの誤組付けを防止することができる。
【０００８】
また、接続部材の第１の受容部は、第１の電池モジュールの第１の正極端子と同方向に突出する第１の正極側突起を受け入れ、第２の受容部は、第２の電池モジュールの第２の負極端子と同方向に突出する第２の負極側突起を受け入れるため、積層する電池モジュール間の距離を縮めることができ、組電池の小型化を図ることができる。
【０００９】
さらに、電池モジュールが有する正極側突起は、第１の電池モジュールの正極端子と第２の電池モジュールの負極端子を結ぶ第１の仮想直線を中心として一方の側に設けられ、負極側突起は、第１の電池モジュールの負極端子と第２の電池モジュールの正極端子を結ぶ第２の仮想直線を中心として一方の側に設けられている。このため、任意の電池モジュールと、その両側に隣接する電池モジュールと、を接続するために必要となる２つの接続部材の形状を互いに鏡像の関係にすることができる。これにより、接続部材の表面と裏面を交互に用いて電池モジュールを順次接続することで、単一形状の接続部材のみを用いて組電池を構成することができる。
【図面の簡単な説明】
【００１０】
【図１】図１は、本発明の実施形態における組電池を示す正面図である。
【図２】図２は、本発明の実施形態における電池モジュールを示す分解斜視図である。
【図３】図３（Ａ）は本発明の実施形態における電池モジュールを示す正面図であり、図３（Ｂ）は本発明の実施形態における電池モジュールを示す平面図である。
【図４】図４は、本発明の実施形態における電池モジュールの正極側突起、及び負極側突起のレイアウトの変形例を示す正面図である。
【図５】図５は、本発明の実施形態における電池モジュールの正極側出力端子、負極側出力端子、正極側突起、及び負極側突起のレイアウトの変形例を示す正面図である。
【図６】図６（Ａ）は接続部材を示す正面図であり、図５（Ｂ）は接続部材の変形例を示す正面図である。
【図７】図７（Ａ）は図１のVII部の拡大図であり、図７（Ｂ）は電池モジュールの誤組付けが生じた場合における図１のVII部の拡大図である。
【図８】図８は、本発明の実施形態における電池モジュールの正極側出力端子、及び負極側出力端子の変形例を示す側面図である。
【図９】図９（Ａ）は接続部材の変形例を示す斜視図であり、図９（Ｂ）は電池モジュールにおけるハウジングの変形例を示す側面図である。
【発明を実施するための形態】
【００１１】
以下、本発明の実施形態を図面に基づいて説明する。
【００１２】
図１は本実施形態における組電池１を示す正面図であり、図２は本実施形態における電池モジュール２を示す分解斜視図であり、図３（Ａ）及び図３（Ｂ）はそれぞれ本実施形態における電池モジュール２の正面図及び平面図であり、図４は本実施形態における電池モジュールの突起２１、２２のレイアウトの変形例を示す正面図であり、図５は本実施形態における電池モジュール２の出力端子１３１、１３２及び突起２１、２２のレイアウトの変形例を示す正面図である。
【００１３】
本実施形態の組電池１は、図１に示すように、複数の電池モジュール２と、当該複数の電池モジュール２を電気的に接続する接続部材３０と、を備えている。
【００１４】
具体的には、それぞれの電池モジュール２は、同一側面から同一の方向に導出する正極側出力端子１３１と負極側出力端子１３２とを有しており、複数の電池モジュール２は、隣り合う電池モジュール２の正極側出力端子１３１と負極側出力端子１３２がそれぞれ互い違いに並ぶように積層されている。すなわち、複数の電池モジュール２は、交互に向きを反転して積層されている。
【００１５】
そして、接続部材３０は、複数の電池モジュール２の全てが直列に接続されるように、隣り合う電池モジュール２の正極側出力端子１３１と負極側出力端子１３２とを次々に接続している。なお、本例では、４つの電池モジュール２を用いて組電池１を構成しているが、組電池１を構成する電池モジュール２の数は特に限定されない。また、以下において、図１における３つの接続部材３０を図中左から順に接続部材３０Ａ、接続部材３０Ｂ、接続部材３０Ｃとも称し、図１における４つの電池モジュール２を図中左から順に電池モジュール２Ａ、電池モジュール２Ｂ、電池モジュール２Ｃ、電池モジュール２Ｄとも称する。
【００１６】
電池モジュール２は、図２に示すように、相互に積層された複数の単電池１０１と、単電池１０１の間に介装されたスペーサ３０５と、これら単電池１０１及びスペーサ３０５を収容するケース３６０と、を備えている。
【００１７】
単電池１０１は、例えば、リチウムイオン二次電池等のラミネート電池である。この単電池１０１は、特に図示しないが、セパレータを介して正極板と負極板を交互に積層してなる積層体と、当該積層体を電解液と共に封止するラミネートフィルムと、を有しており、正極板に接続された正極タブがラミネートフィルムの一端から導出していると共に、負極板に接続された負極タブがラミネートフィルムの反対側の端部から導出している。なお、単電池１０１は、ニッケル水素電池、鉛電池等で構成してもよい。
【００１８】
本実施形態では、隣り合う単電池１０１の正極タブと負極タブの向きを交互に反転させて単電池１０１を積層した後、当該正極タブと負極タブを直接接合することで各単電池１０１を直列に接続している。そして、接続された複数の当該単電池１０１の一端は、正極側、負極側それぞれの出力端子１３１、１３２と電気的に接続されている。
【００１９】
こうした複数の単電池１０１は、図２に示すように、隣接する単電池１０１同士の絶縁性を保つためのスペーサ３０５が介装された状態でケース３６０内に収められる。
【００２０】
ケース３６０は、箱形状を有するロアケース３６１及び蓋形状を有するアッパーケース３６２から構成され、これらロアケース３６１及びアッパーケース３６２は、薄板アルミ板から形成される。なお、本実施形態では、８個の単電池１０１が積層されてケース３６０に収められているが、積層される単電池１０１の数は特に限定されない。
【００２１】
本実施形態において、正極側出力端子１３１及び負極側出力端子１３２は、図３（Ｂ）に示すように、実質的に等しい大きさのボルト形状を有しており、後述する接続部材３０を挟んでナット２３と螺合するようになっている。これら正極側出力端子１３１及び負極側出力端子１３２はいずれも電池モジュール２の側面３６４から図３（Ｂ）中の左側に向かって突出しており、図３（Ａ）に示すように、電池モジュール２の厚さ方向の中心線ＣＬ上に位置するように配置されている。
【００２２】
なお、本実施形態では、正極側出力端子１３１及び負極側出力端子１３２が有するボルト形状とナット２３とが螺合するが、特にこれに限定されない。例えば、電池モジュール２の厚さ方向の中心線ＣＬ上における出力端子１３１、１３２の周囲に、それぞれボルトを設けてもよい。この場合には、後述する接続部材３０を挟んで、当該ボルトとナット２３とが螺合する。
【００２３】
また、本実施形態では、図２及び図３（Ａ）に示すように、正極側出力端子１３１の周囲は絶縁体からなるハウジング１３４で覆われており、このハウジング１３４には正極側突起２１が設けられている。同様に、負極側出力端子１３２の周囲は絶縁体からなるハウジング１３５で覆われており、このハウジング１３５には負極側突起２２が設けられている。これら正極側突起２１及び負極側突起２２は、実質的に同一の形状を有している。
【００２４】
正極側突起２１は、図１に示すように、正極側出力端子１３１及び隣接する電池モジュール２の負極側出力端子１３２を通過する第１の仮想直線ＶＬ１を中心とした一方の側に設けられている。また、負極側突起２２も、負極側出力端子１３２及び隣接する電池モジュール２の正極側出力端子１３１を通過する第２の仮想直線ＶＬ２を中心とした一方の側に設けられている。
【００２５】
つまり、電池モジュール２Ｂを一例として見た場合、図１に示すように、電池モジュール２Ｂの正極側突起２１は、当該電池モジュール２Ｂの正極側出力端子１３１と、電池モジュール２Ｂに隣接する電池モジュール２Ａ又は２Ｃの負極側出力端子１３２と、を通過する第１の仮想直線ＶＬ１の図中上側に設けられている。同様に、電池モジュール２Ｂの負極側突起２２は、当該電池モジュール２Ｂの負極側出力端子１３２と、電池モジュール２Ｂに隣接する電池モジュール２Ａ又は２Ｃの正極側出力端子１３１と、を通過する第２の仮想直線ＶＬ２の図中上側に設けられている。なお、本実施形態における第１及び第２の仮想直線ＶＬ１、ＶＬ２の方向は、複数の電池モジュール２の積層方向と実質的に一致している。
【００２６】
本実施形態における正極側突起２１及び負極側突起２２は、図３（Ａ）に示すように、正極側出力端子１３１と負極側出力端子１３２を通過する仮想直線ＨＬ上に設けられているが、特に限定されない。例えば、正極側突起２１及び負極側突起２２の何れか一方の突起が仮想直線ＨＬ上に設けられていなくてもよく、また、図４に示すように、正極側突起２１及び負極側突起２２の両方の突起が仮想直線ＨＬ上に設けられていなくてもよい。
【００２７】
なお、本実施形態では、正極側出力端子１３１と負極側出力端子１３２を通過する仮想直線ＨＬは、電池モジュール２の厚さ方向の中心線ＣＬと一致しているが、特にこれに限定されない。
【００２８】
例えば、図５に示すように、正極側出力端子１３１と負極側出力端子１３２を通過する仮想直線ＨＬが電池モジュールの側面３６４の仮想中心点ＣＰを通過しつつ、電池モジュール２の厚さ方向の中心線ＣＬと一致していなくてもよい。この場合にも、正極側突起２１及び負極側突起２２は、当該仮想直線ＨＬ上に設けられる。
【００２９】
図３（Ｂ）に戻り、本実施形態では、電池モジュール２の側面３６４からの正極側突起２１の高さｈ１は正極側出力端子の高さｍ１よりも高く形成されている（ｈ１＞ｍ１）。また、電池モジュール２の側面３６４からの負極側突起２２の高さｈ２は負極側出力端子の高さｍ２よりも高く形成されている（ｈ２＞ｍ２）。
【００３０】
次に、接続部材３０について説明する。
【００３１】
図６（Ａ）は本実施形態における接続部材３０を示す正面図であり、図６（Ｂ）は本実施形態における接続部材の変形例を示す正面図である。
【００３２】
接続部材３０は、導電性を有する平板状の部材から構成される。この接続部材３０には、図６（Ａ）に示すように、第１の貫通孔３５及び第２の貫通孔３６が設けられている。
【００３３】
これらの２つの貫通孔３５、３６は、実質的に等しい大きさを有しており、平面視において電池モジュール２の正極側出力端子１３１及び負極側出力端子１３２の断面形状よりも僅かに大きな円形形状を有している。また、第１の貫通孔３５の中心と第２の貫通孔３６の中心との距離は、組電池１において隣接する２つの電池モジュール２における一方の正極側出力端子１３１の中心と、他方の負極側出力端子１３２の中心の間の距離と等しくなっている。
【００３４】
また、この接続部材３０は、図６（Ａ）に示すように、第１の貫通孔３５に対応する図中上側側面に第１の切欠き部３１が設けられている。この第１の切欠き部３１の形状は、電池モジュール２の正極側突起２１及び負極側突起２２の断面形状と対応した形状となっている。このため組電池１の組立時において、第１の貫通孔３５に電池モジュール２の正極側出力端子１３１が挿入される場合は第１の切欠き部３１に正極側突起２１が嵌合し、第１の貫通孔３５に負極側出力端子１３２が挿入される場合は第１の切欠き部３１に負極側突起２２が嵌合する。
【００３５】
一方、図６（Ａ）に示すように、接続部材３０の第２の貫通孔３６に対応する図中下側側面には、第２の切欠き部３２が設けられている。この第２の切欠き部３１の形状も、平面視において電池モジュール２の正極側突起２１及び負極側突起２２の断面形状と対応した形状となっている。このため組電池１の組立時において、第２の貫通孔３６に電池モジュール２の正極側出力端子１３１が挿入される場合は第２の切欠き部３２に正極側突起２１が嵌合し、第２の貫通孔３６に負極側出力端子１３２が挿入される場合は第２の切欠き部３２に負極側突起２２が嵌合する。
【００３６】
なお、接続部材の形状は、上記の形状に特に限定されない。例えば、図６（Ｂ）に示す接続部材３０Ｓように、第１及び第２の切欠き部３１、３２に代えて、第１の嵌合孔３１１と第２の嵌合孔３２１とを形成してもよい。この場合、組電池１の組立時において、接続部材３０Ｓの第１の貫通孔３５に電池モジュール２の正極側出力端子１３１が挿入される際は、第１の嵌合孔３１１に当該電池モジュール２の正極側突起２１が嵌合し、接続部材３０Ｓの第１の貫通孔３５に電池モジュール２の負極側出力端子１３２が挿入される際は、第１の嵌合孔３１１に当該電池モジュール２の負極側突起２２が嵌合する。
【００３７】
同様に、接続部材３０Ｓの第２の貫通孔３６に電池モジュール２の正極側出力端子１３１が挿入される場合には、第２の嵌合孔３２１に当該電池モジュール２の正極側突起２１が嵌合し、接続部材３０Ｓの第２の貫通孔３６に電池モジュール２の負極側出力端子１３２が挿入される場合には、第２の嵌合孔３２１に当該電池モジュール２の負極側突起２２が嵌合する。
【００３８】
次に、本実施形態の作用について説明する。
【００３９】
図７（Ａ）は図１のVII部の拡大図であり、図７（Ｂ）は電池モジュールの誤組付けが生じた場合における図１のVII部の拡大図である。
【００４０】
本実施形態における組電池１は、図１に示すように、交互に向きを反転させて積層された電池モジュール２の正極側及び負極側出力端子１３１、１３２を、接続部材３０を用いて直列に接続することで構成される。
【００４１】
以下、接続部材３０Ｂによる電池モジュール２Ｂと電池モジュール２Ｃとの接続部分を代表例として詳述する。
【００４２】
電池モジュール２Ｂと接続部材３０Ｂとの接続は、図７（Ａ）に示すように、接続部材３０Ｂの第１の貫通孔３５に電池モジュール２Ｂの正極側出力端子１３１を挿入した後に、接続部材３０Ｂを挟んだ状態で当該正極側出力端子１３１とナット２３とを螺合することによって行う。
【００４３】
同様に、電池モジュール２Ｃと接続部材３０Ｂとの接続は、接続部材３０Ｂの第２の貫通孔３６に電池モジュール２Ｃの負極側出力端子１３２を挿入した後に、接続部材３０Ｂを挟んだ状態で当該負極側出力端子１３２とナット２３とを螺合することによって行う。
【００４４】
この時、図７（Ａ）に示すように、電池モジュール２Ｂの正極側突起２１が接続部材３０Ｂの第１の切欠き部３１に入り込むと共に、電池モジュール２Ｃの負極側突起２２が接続部材３０Ｂの第２の切欠き部３２に入り込む。これにより、電池モジュール２Ｂと電池モジュール２Ｃとを接続部材３０Ｂで接続する際に、これらの電池モジュール２Ｂ、２Ｃが正しく直列に接続されていることを容易に認識することができる。
【００４５】
これに対し、仮に電池モジュール２Ｃの向きを誤って配置した場合には、図７（Ｂ）に示すように、本来、出力端子１３２の図中下側に位置すべき電池モジュール２Ｃの負極側突起２２が位置せず、出力端子１３１の図中上側に電池モジュール２Ｃの正極側突起２１が位置することとなる。この場合に、接続部材３０Ｂには、電池モジュール２Ｃの正極側突起２１が入り込む切欠き部等が設けられていない。
【００４６】
このため、電池モジュール２Ｃの正極側出力端子１３１を接続部材３０Ｂの第２の貫通孔３６に挿入しようとしても、接続部材３０Ｂにおける図７（Ｂ）中の上側側面３０１が電池モジュール２Ｃの正極側突起２１と接触するため、接続部材３０Ｂの第２の貫通孔３６の位置を電池モジュール２Ｃの正極側出力端子１３１の位置に合わせることができない。これにより、電池モジュール２Ｃと接続部材３０Ｂを接続することはできず、組電池１を組立てる際の電池モジュール２の誤組みを防止することができる。
【００４７】
なお、接続部材３０が第１の切欠き部３１及び第２の切欠き部３２を有する場合、当該第１の切欠き部３１の形状を、電池モジュール２の正極側突起２１における当該第１の切欠き部３１と嵌合する部分の断面形状と相似形状とし、且つ、第１の切欠き部３１を正極側突起２１の当該嵌合部分よりもわずかに大きくすることが好ましい。
【００４８】
同様に、第２の切欠き部３２の形状も、電池モジュール２の負極側突起２２における当該第２の切欠き部３２と嵌合する部分の断面形状と相似形状とし、且つ、第２の切欠き部３２を負極側突起２２の当該嵌合部分よりもわずかに大きくすることが好ましい。
【００４９】
このとき、第１の切欠き部３１が正極側突起２１を受け入れる際の遊びが無くなり、第２の切欠き部３２が負極側突起２２を受け入れる際の遊びも無くなるため、組電池１の組立時における電池モジュール２の誤組み付けをより確実に防ぐことができる。
【００５０】
また、同様に、接続部材３０が第１の嵌合孔３１１及び第２の嵌合孔３２１を有する場合は、次のようにする。すなわち、第１の嵌合孔３１１の形状を、電池モジュール２における正極側突起２１の断面形状と相似形状とし、且つ、第１の嵌合孔３１１を正極側突起２１よりもわずかに大きくすることが好ましい。
【００５１】
同様に、第２の嵌合孔３２１の形状も、電池モジュール２における負極側突起２２の断面形状と相似形状とし、且つ、第２の嵌合孔３２１を負極側突起２２よりもわずかに大きくすることが好ましい。
【００５２】
このとき、第１の嵌合孔３１１が正極側突起２１と嵌合する際の遊びが無くなり、第２の嵌合孔３２１が負極側突起２２と嵌合する際の遊びも無くなるため、組電池１の組立時における電池モジュール２の誤組み付けをより確実に防ぐことができる。
【００５３】
また、本実施形態では、図３（Ｂ）に示すように、電池モジュール２の側面３６４からの正極側突起２１の高さｈ１は、正極側出力端子１３１の高さｍ１よりも高く形成されている（ｈ１＞ｍ１）。同様に、電池モジュール２の側面３６４からの負極側突起２２の高さｈ２は、負極側出力端子１３２の高さｍ２よりも高く形成されている（ｈ２＞ｍ２）。これにより、電池モジュール２の向きを誤って配置した際に、正極側突起２１又は負極側突起２２が、接続部材３０の第１の切欠き部３１又は第２の切欠き部３２に入り込まないにも関わらず、強制的に接続部材３０で接続されてしまうのを防ぐことができる。
【００５４】
また、本実施形態において、接続部材３０の第１の切欠き部３１又は第２の切欠き部３２で受け入れる電池モジュール２の正極側突起２１は、電池モジュール２の正極側出力端子１３１と同方向（図１におけるＺ方向）に突出して設けられている。同様に、電池モジュール２の負極側突起２２は、電池モジュール２の負極側出力端子１３２と同方向（図１におけるＺ方向）に突出して設けられている。このため、接続部材３０での接続時における電池モジュール２同士の間の距離を縮めることができ、組電池１を小型化することができる。
【００５５】
さらに、本実施形態では、電池モジュール２が有する正極側突起２１は、正極側出力端子１３１及び隣接する電池モジュール２の負極側出力端子１３２を通過する第１の仮想直線ＶＬ１を中心とした一方の側に設けられている。また、負極側突起２２も、負極側出力端子１３２及び隣接する電池モジュール２の正極側出力端子１３１を通過する第２の仮想直線ＶＬ２を中心とした一方の側に設けられている。このため、図１に示すように、電池モジュール２Ｂと図中左側で隣接する電池モジュール２Ａを接続する接続部材３０Ａの形状と、当該電池モジュール２Ｂと図中右側で隣接する電池モジュール２Ｃを接続する接続部材３０Ｂの形状を、互いに鏡像の関係にすることができる。
【００５６】
つまり、接続部材３０Ｂの形状は、接続部材３０Ａを裏返した形状となっている。同様に、接続部材３０Ｃの形状は、接続部材３０Ｂの形状を裏返した形状となっている。
【００５７】
この様に、本実施形態では、電池ジュール２の誤組み付けを防止しつつ接続部材３０の表面と裏面を交互に用いて電池モジュール２を次々に接続することができる。これにより、接続部材３０以外の他の形状の接続部材を要することなく、組電池１を構成することができる。
【００５８】
これに対し、正極側突起２１が、正極側出力端子１３１及び隣接する電池モジュール２の負極側出力端子１３２を通過する第１の仮想直線ＶＬ１を中心とした一方の側に設けられつつ、負極側突起２２が、負極側出力端子１３２及び隣接する電池モジュール２の正極側出力端子１３１を通過する第２の仮想直線ＶＬ２を中心とした他方の側に設けられている場合には、上記の効果を奏しない。
【００５９】
すなわち、任意の３つの連続する電池モジュール２を接続するために必要となる２つの接続部材の形状を互いに鏡像の関係にすることはできるものの、電池モジュール２が正しい組み付けであるかどうかによらず接続部材が接続されてしまう恐れがあるため、電池モジュール２の誤組み付けを防止することができない。
【００６０】
本実施形態の正極側出力端子１３１が本発明における正極端子の一例及び第１のボルトの一例に相当し、本実施形態の負極側出力端子１３２が本発明における負極端子の一例及び第２のボルトの一例に相当し、本実施形態の電池モジュール２Ｂが本発明における第１の電池モジュールの一例に相当し、本実施形態の電池モジュール２Ｂにおける正極側出力端子１３１が本発明における第１の正極端子の一例に相当し、本実施形態の電池モジュール２Ｂにおける負極側出力端子１３２が本発明における第１の負極端子の一例に相当し、本実施形態の第１の仮想直線ＶＬ１が本発明における第１の仮想直線の一例に相当し、本実施形態の電池モジュール２Ｂにおける正極側突起２１が本発明における第１の正極側突起の一例に相当し、本実施形態の電池モジュール２Ｂにおける負極側突起２２が本発明における第１の負極側突起の一例に相当し、本実施形態の電池モジュール２Ｃが本発明における第２の電池モジュールの一例に相当し、本実施形態の電池モジュール２Ｃにおける正極側出力端子１３１が本発明における第２の正極端子の一例に相当し、本実施形態の電池モジュール２Ｃにおける負極側出力端子１３２が本発明における第２の負極端子の一例に相当し、本実施形態の第２の仮想直線ＶＬ２が本発明における第２の仮想直線の一例に相当し、本実施形態の電池モジュール２Ｃにおける正極側突起２１が本発明における第２の正極側突起の一例に相当し、本実施形態の電池モジュール２Ｃにおける負極側突起２２が本発明における第２の負極側突起の一例に相当し、本実施形態の接続部材３０Ｂにおける第１の切欠き部３１が本発明における第１の受容部の一例に相当し、本実施形態の接続部材３０Ｂにおける第２の切欠き部３２が本発明における第２の受容部の一例に相当し、本実施形態の電池モジュール２Ｂにおける仮想直線ＨＬが本発明における第３の仮想直線の一例に相当し、本実施形態の電池モジュール２Ｃにおける仮想直線ＨＬが本発明における第４の仮想直線の一例に相当する。
【００６１】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００６２】
例えば、図８に示すように、電池モジュール２Ｓの正極側出力端子１３１Ｂ及び負極側出力端子１３２Ｂがめねじ構造を有しており、当該めねじ構造と螺嵌するボルト２４を接続部材３０の第１の貫通孔３５又は第２の貫通孔３６に挿入後、出力端子１３１Ｂ、１３２Ｂと螺合することによって接触部在３０を固定してもよい。
【００６３】
この場合においても、組電池１の組立時に、電池モジュール２Ｓの正極側突起２１又は負極側突起２２の一方が接続部材３０の第１の切欠き部３１に嵌合し、当該電池モジュール２に隣接する電池モジュール２Ｓの正極側突起２１又は負極側突起２２の他方が接続部材３０の第２の切欠き部３２に嵌合しなければ、電池モジュール２Ｓ同士を接続することができない。このため、電池モジュール２Ｓの誤組み付けを防止することができる。
【００６４】
また、電池モジュール２Ｓの正極側突起２１は正極側出力端子１３１Ｂと同方向に突出して設けられ、負極側突起２２は負極側出力端子１３２Ｂと同方向に突出して設けられている。このため、電池モジュール２Ｓ同士の間の距離を縮めることができ、組電池１を小型化することができる。
【００６５】
さらに、電池ジュール２Ｓの誤組み付けを防止しつつ接続部材３０の表面と裏面を交互に用いて電池モジュール２Ｓを次々に接続することによって、接続部材３０以外の他の形状の接続部材を要することなく、組電池１を構成することができる。
【００６６】
また、図９（Ａ）及び図９（Ｂ）に示すように、接続部材３０における第１及び第２の切欠き部３１、３２と、ハウジング１３４、１３５における正極側及び負極側突起２１、２２と、を省略して、下記の様な接続部材４３と、ハウジング１３４Ｂ、１３５Ｂを有する電池モジュール２Ｔとしてもよい。
【００６７】
すなわち、接続部材４３には、図９（Ａ）に示すように、接続部材３０において第１の切欠き部３１が形成されていた位置に図中下側に向かって突出する第１の突起部４４と図中上側に向かって突出する第２の突起部４５を設ける。同様に、接続部材３０において第２の切欠き部３２が形成されていた位置に図中下側に向かって突出する第３の突起部４６と図中上側に向かって突出する第４の突起部４７を接続部材４３に設ける。
【００６８】
一方、ハウジング１３４Ｂには、図９（Ｂ）に示すように、接続部材４３の第１及び第４の突起部４４、４７が入り込むことが可能な凹部または切欠き形状を有する正極側受容部４１と、接続部材４３の第２及び第３の突起部４５、４６が入り込むことが可能な凹部または切欠き形状を有する負極側受容部４２と、を設ける。
【００６９】
この場合には、組電池１の組立時に、接続部材４３の第１の突起部４４又は第４の突起部４７の一方が電池モジュール２Ｔの正極側受容部４１に入り込み、接続部材４３の第２の突起部４５又は第３の突起部４６が当該電池モジュール２Ｔに隣接する電池モジュール２Ｔの負極側受容部４２に入り込まなければ、電池モジュール２Ｔ同士を接続することができない。このため、電池モジュール２Ｔの誤組み付けを防止することができる。
【００７０】
なお、正極側受容部４１の形状を、接続部材４３の第１の突起部４４及び第４の突起部４７が入り込む部分の断面形状と相似形状とし、且つ、正極側受容部４１の形状を第１の突起部４４及び第４の突起部４７よりもわずかに大きくすることが好ましい。
【００７１】
同様に、負極側受容部４２の形状を、接続部材４３の第２の突起部４５及び第３の突起部４６が入り込む部分の断面形状と相似形状とし、且つ、負極側受容部４２の形状を第２の突起部４５及び第３の突起部４６よりもわずかに大きくすることが好ましい。
【００７２】
このとき、第１〜第４の突起部４４〜４７が正極側受容部４１又は負極側受容部４２に入り込む際の遊びが無くなり、組電池１の組立時における電池モジュール２Ｔの誤組み付けをより確実に防ぐことができる。
【００７３】
また、電池モジュール２Ｔの第１及び第４の突起部４４、４７は正極側出力端子１３１と同方向又は対向する方向に突出して設けられ、第２及び第３の突起部４５、４６は負極側出力端子１３２と同方向または対向する方向に突出して設けられている。このため、電池モジュール２Ｔ同士の間の距離を縮めることができ、組電池１を小型化することができる。
【００７４】
さらに、電池ジュール２Ｔの誤組み付けを防止しつつ接続部材４３の表面と裏面を交互に用いて電池モジュール２Ｔを次々に接続することによって、接続部材４３以外の他の形状の接続部材を要することなく、組電池１を構成することができる。
【００７５】
また、本実施形態では、図９（Ａ）及び図９（Ｂ）に示すように、第１の突起部４４及び第４の突起部４７の高さｈ１は、電池モジュール２Ｔの側面３６４からの正極側出力端子１３１の高さｍ１よりも高く形成されている（ｈ１＞ｍ１）。同様に、第２の突起部４５及び第３の突起部４６の高さｈ２は、電池モジュール２Ｔの側面３６４からの負極側出力端子１３２の高さｍ２よりも高く形成されている（ｈ２＞ｍ２）。これにより、電池モジュール２の向きを誤って配置した際に、第１〜第４の突起部４４〜４７が、電池モジュール２Ｔの正極側受容部４１又は負極側受容部４２に入り込まないにも関わらず、強制的に接続部材４３で接続されてしまうのを防ぐことができる。
【符号の説明】
【００７６】
１・・・組電池
２、２Ａ、２Ｂ、２Ｃ、２Ｄ、２Ｓ、２Ｔ・・・電池モジュール
１３１・・・正極側出力端子
１３２・・・負極側出力端子
２１・・・正極側突起
４１・・・正極側受容部
２２・・・負極側突起
４２・・・負極側受容部
３０、３０Ａ、３０Ｂ、３０Ｃ、４３・・・接続部材
３１・・・第１の切欠き部
３２・・・第２の切欠き部
３１１・・・第１の嵌合孔
３２１・・・第２の嵌合孔
４４・・・第１の突起部
４５・・・第２の突起部
４６・・・第３の突起部
４７・・・第４の突起部
【図１】
2014060111.tif 000003
【図２】
2014060111.tif 000004
【図３】
2014060111.tif 000005
【図４】
2014060111.tif 000006
【図５】
2014060111.tif 000007
【図６】
2014060111.tif 000008
【図７】
2014060111.tif 000009
【図８】
2014060111.tif 000010
【図９】
2014060111.tif 000011